【手続補正書】
【提出日】平成28年4月15日(2016.4.15)
【手続補正１】
【補正対象書類名】特許請求の範囲
【補正対象項目名】全文
【補正方法】変更
【補正の内容】
【特許請求の範囲】
【請求項１】
印刷可能基材を供給する少なくとも１つの入口ストア（３０）から、基材を受け取る少なくとも１つの出口ストア（３１）まで、長手方向軸にしたがって配向された搬送経路に沿って、印刷機内の基材（３）を搬送するシステムであって、
各々が基材（３）の解放または握持を保証する開閉システム（２２）を含む可動握持手段（２）であって、前記握持手段（２）は、搬送経路に沿って、１枚の基材をそれぞれ前および後で、または同じ基材の前および後に位置する部分を握持する、前および後握持手段を含む、可動握持手段（２）と、
搬送経路に沿って握持手段（２）を案内する案内手段（１）と、
少なくとも前握持手段（２）と後握持手段（２）との間の独立変位を用いて、案内手段（１）に沿った握持手段（２）の変位を保証する、少なくとも１つの電動化手段と、を含み、
基材搬送システム（３）は搬送経路に沿って様々な大きさの基材（３）を引っ張りおよび／または移動させるように、各基材を握持するようになっており、案内手段（１）、握持手段（２）、およびこれらの関連する開閉システム（２２）はコンピュータ手段によって制御されることを特徴とする、基材（３）を搬送するシステム。
【請求項２】
搬送経路上の握持手段（２）の速度および／または位置の検出手段を含み、これら検出手段はコンピュータ手段によって制御されていることを特徴とする、請求項１に記載の基材（３）を搬送するシステム。
【請求項３】
前記少なくとも１つの電動化手段が、握持手段（２）を備えるモータ手段を含むことを特徴とする、請求項１または２のいずれか一項に記載の基材（３）を搬送するシステム。
【請求項４】
各握持手段（２）が、案内手段（１）に沿ったその変位を保証する少なくとも１つのモータ手段を含むことを特徴とする、請求項３に記載の基材（３）を搬送するシステム。
【請求項５】
前記少なくとも１つの電動化手段が、握持手段（２）を備える少なくとも１つの受動部品と、案内手段（１）を備える少なくとも１つの能動部品とを含むことを特徴とする、請求項１または２のいずれか一項に記載の基材（３）を搬送するシステム。
【請求項６】
その上で握持手段（２）が移動する少なくとも２つの案内手段（１）を含むことを特徴とする、請求項１から５のいずれか一項に記載の基材（３）を搬送するシステム。
【請求項７】
前記少なくとも２つの案内手段（１）が、その上を前握持手段（２）が移動する少なくとも１つの案内手段と、その上を後握持手段（２）が移動する少なくとも１つの案内手段とを含むことを特徴とする、請求項６に記載の基材（３）を搬送するシステム。
【請求項８】
同じ基材の前または後の同じ側に位置する２つの握持手段（２）を各々が含む、対になった握持手段（２）を含み、一対の握持手段（２）の変位は少なくとも１つの案内手段（１）に沿った同じ電動化手段によって保証されることを特徴とする、請求項１から７のいずれか一項に記載の基材（３）を搬送するシステム。
【請求項９】
コンピュータ手段によって制御された握持手段（２）が、少なくとも基材（３）の４つのコーナー付近の領域内で各基材（３）を握持することを特徴とする、請求項１から８のいずれか一項に記載の基材（３）を搬送するシステム。
【請求項１０】
握持手段（２）が基材（３）の横方向張力手段を含み、前記横方向張力手段はコンピュータ手段によって制御されることを特徴とする、請求項１から９のいずれか一項に記載の基材（３）を搬送するシステム。
【請求項１１】
基材（３）から印刷機の印刷ヘッドまでの距離を最適化するように基材（３）に直角な軸に沿って調整可能な位置の基材支持体（３）が、入口ストア（３０）と出口ストア（３１）との間で印刷機の中に組み込まれることを特徴とする、請求項１から１０のいずれか一項に記載の基材（３）を搬送するシステム。
【請求項１２】
コンピュータ手段に接続された基材（３）の速度および／または位置の検出手段を含むことを特徴とする、請求項１から１１のいずれか一項に記載の基材（３）を搬送するシステム。
【請求項１３】
案内手段（１）が、基材（３）の搬送経路の長手方向軸の両側に配置されたガイドを含むことを特徴とする、請求項１から１２のいずれか一項に記載の基材（３）を搬送するシステム。
【請求項１４】
各ガイド（１）が閉回路を形成することを特徴とする、請求項１３に記載の基材（３）を搬送するシステム。
【請求項１５】
ガイド（１）が、基材（３）の平面に直角な平面内に配置されていることを特徴とする、請求項１４に記載の基材（３）を搬送するシステム。
【請求項１６】
ガイド（１）が基材（３）の平面と平行な平面内に配置されることを特徴とする、請求項１４に記載の搬送システム。
【請求項１７】
電動化手段の前記能動部品が少なくとも１つのリニアモータを含むことを特徴とする、請求項４から１６のいずれか一項に記載の基材（３）を搬送するシステム。
【請求項１８】
前記少なくとも１つのリニアモータが、案内手段（１）と平行な少なくとも１つのレール上に実装されることを特徴とする、請求項１７に記載の基材（３）を搬送するシステム。
【請求項１９】
握持手段（２）が、基材（３）の握持または解放のための、および基材（３）の表面に対向して位置する、可動部（２１）を含み、表面は印刷ヘッドに対向する印刷可能面であることを特徴とする、請求項１から１８のいずれか一項に記載の基材（３）を搬送するシステム。
【請求項２０】
握持手段（２）が、基材（３）の握持または解放のための、および印刷ヘッドに対向する面の反対の面として定義される基材（３）の裏面に対向して位置する、可動部（２１）を含むことを特徴とする、請求項１から１８のいずれか一項に記載の基材（３）を搬送するシステム。
【請求項２１】
各握持手段（２）が基材（３）の側縁を握持するようになっていることを特徴とする、請求項１から２０のいずれか一項に記載の基材（３）を搬送するシステム。
【請求項２２】
請求項１から２１のいずれか一項に記載の基材搬送システム（３）によって実行される、搬送経路に沿った基材（３）の張力印加および搬送の方法であって、
ａ．変位方向に対する基材（３）の前側縁の検出に続く、コンピュータ手段によって作動される前記少なくとも１つの電動化手段による、前握持手段と称される少なくとも１つの第一握持手段（２）の、入口ストア（３０）付近の領域内での位置決めステップと、
ｂ．基材（３）の速度に適応した速度での前握持手段（２）の変位、および基材（３）
の前部付近の領域内の前記握持手段（２）の位置決めのステップであって、コンピュータ手段は、搬送経路に沿った基材（３）の位置に応じて握持手段（２）の速度および同期を制御するために基材（３）の速度および位置に関する情報を活用する、ステップと、
ｃ．基材（３）の少なくとも１つの縁の上の開閉システム（２２）による前握持手段（２）の閉鎖ステップであって、前記握持手段（２）は以降基材（３）を駆動する、ステップと、
ｄ．その後前握持手段（２）の速度に適応した速度まで同期変位を位置決めし、後握持手段と称される少なくとも１つの第二握持手段（２）の、基材（３）の少なくとも１つの縁上での閉鎖の、ステップと、
ｅ．前および後握持手段（２）の間に位置する基材（３）の張力印加のステップと、
ｆ．前握持手段（２）の位置が印刷機の出口ストア（３１）付近の領域内にあるときの、前握持手段の開閉システム（２２）の開放のステップと、
ｇ．開放前に、前および後握持手段（２）の間の距離に依存する時間ｔ１の終わりでの、後握持手段の開閉システム（２２）の開放ステップであって、続いて基材（３）を解放するように前記握持手段（２）を減速する、ステップと、
ｈ．入口ストア（３０）付近の保管領域内の握持手段（２）の戻りのステップと、を含むことを特徴とする、基材（３）の張力印加および搬送の方法。
【請求項２３】
方法が、閉回路内で動作する案内手段（１）に適しており、ステップｆからステップｈは、
ｆ’．前握持手段（２）の開閉システム（２２）の開放ステップであって、案内手段（１）上でその変位を継続して入口ストア（３０）付近の保管領域に戻るように、その後前記前握持手段（２）の加速が続く、ステップと、
ｇ’．開放前の、前および後握持手段（２）の間の距離に応じた時間ｔ２の終わりでの後握持手段の開閉システム（２２）の開放ステップであって、その後基材（３）を開放するような後握持手段の減速、さらに後握持手段（２）が各ガイド（１）上のその変位を継続して保管領域に戻るような加速が続く、ステップと、に置き換えられることを特徴とする、請求項２２に記載の基材（３）の張力印加および搬送の方法。
【請求項２４】
ステップａからステップｅが、
ａ”．基材（３）の前縁の検出と同時の入口ストア（３０）付近の領域内の、同じ基材に沿った握持手段（２）のすべての位置決めステップと、
ｂ”．基材（３）の速度および位置に関する情報を実行するコンピュータ手段によって制御される、基材（３）に適応した速度での握持手段（２）の同期変位ステップと、
ｃ”．開閉システム（２２）による握持手段（２）の閉鎖ステップであって、前記握持手段（２）は以降基材（３）を駆動する、ステップと、
ｄ”．握持手段（２）による基材（３）の張力印加ステップと、に置き換えられることを特徴とする、請求項２２または２３のいずれか一項に記載の基材（３）の張力印加および搬送の方法。